(57)【要約】  【課題】  複数の表示装置に画像を表示させる場合において、複数系統の画像合成等の手段を設けることによる装置規模の拡大を防止することが可能な画面表示装置を提供すること。  【解決手段】  表示手段を接続可能な複数の表示出力手段１４０、１４１と、表示手段が行う表示に用いる表示情報を入力可能な表示入力手段１１０と、複数の表示手段のそれぞれに表示する表示情報を含む個別コンテンツを生成し、各個別コンテンツの出力を制御する表示制御手段１２０と、表示制御手段１２０から出力される各個別コンテンツを、個別コンテンツ毎に分けて記憶するひとつのビデオメモリ１３０とを備え、表示制御手段１２０は、個別コンテンツ毎に分けてビデオメモリ１３０に記憶された各個別コンテンツを、表示出力手段１４０経由で各表示手段に出力する構成を有する。【選択図】  図１
2005043695.tif 000002
【特許請求の範囲】
【請求項１】
表示手段を接続可能な複数の表示出力手段と、前記表示手段が行う表示に用いる表示情報を入力可能な表示入力手段と、前記複数の表示手段のそれぞれに表示する前記表示情報を含む個別コンテンツを生成し、各前記個別コンテンツの出力を制御する表示制御手段と、前記表示制御手段から出力される各前記個別コンテンツを記憶するひとつのビデオメモリとを備え、前記表示制御手段は、前記ビデオメモリに記憶された各前記個別コンテンツを、前記複数の表示出力手段経由で各前記表示手段に出力することを特徴とする画面表示装置。
【請求項２】
前記表示制御手段は、前記個別コンテンツを表示する表示手段の数に応じて、前記表示手段に表示する個別コンテンツの解像度を決定し、前記決定された解像度で前記個別コンテンツを前記表示出力手段を介して前記表示手段に出力し、前記個別コンテンツを表示する表示手段の数が一つの場合、前記表示制御手段は前記個別コンテンツの解像度を維持することを特徴とする請求項１に記載の画面表示装置。
【請求項３】
表示手段を接続可能な複数の表示出力手段と、前記表示手段が行う表示に用いる表示情報を入力可能な表示入力手段と、前記表示情報を含む表示データに基づいて各前記表示手段が行う表示に用いる、前記表示手段毎の個別コンテンツを生成し、各前記個別コンテンツの出力を制御する表示制御手段と、前記表示制御手段から出力される各前記個別コンテンツを記憶するビデオメモリとを備え、前記表示制御手段は、前記ビデオメモリに記憶された各前記個別コンテンツを各前記表示出力手段経由で対応する各前記表示出力手段に出力することを特徴とする画面表示装置。
【請求項４】
前記表示データは、複数の描画レイヤからなるレイヤ構造を有し、前記個別コンテンツは、いずれか１以上の前記描画レイヤに割り当てられたデータを組み合わせて生成されることを特徴とする請求項１ないし請求項３のいずれかに記載の画面表示装置。
【請求項５】
前記表示制御手段は、前記ビデオメモリに記憶された各前記個別コンテンツの前記表示手段への出力を、前記表示手段が接続された各前記表示出力手段の順番にクロック単位で行うことを特徴とする請求項１ないし請求項３のいずれかに記載の画面表示装置。
【請求項６】
前記表示手段の数は２つであり、前記表示制御手段は、前記クロックの立ち上がりタイミングで第１の表示手段に、前記クロックの立ち下がりタイミングで第２の表示手段に、各前記個別コンテンツを出力することを特徴とする請求項５に記載の画面表示装置。
【請求項７】
操作部を有した複数の表示手段が前記表示出力手段に接続され、前記表示制御手段は、いずれかの前記操作部からの操作に応じて前記個別コンテンツを出力している場合に、他の前記操作部から前記個別コンテンツの出力要求があったとき、同一の前記個別コンテンツを前記表示手段の一方に出力すると共に、この個別コンテンツが前記出力要求されていることを前記表示手段の他方に表示させることを特徴とする請求項１ないし請求項３のいずれかに記載の画面表示装置。
【請求項８】
操作部を有した複数の表示手段が前記表示出力手段に接続され、前記表示制御手段は、いずれかの前記操作部を介して前記個別コンテンツの操作がなされている間に、他の前記操作部から前記個別コンテンツの操作があったとき、この個別コンテンツが操作中であることを前記他の操作部を有する表示手段に表示させることを特徴とする請求項１ないし請求項３のいずれかに記載の画面表示装置。
【請求項９】
前記操作部にさせる表示は、ポインタを表示することによって行うことを特徴とする請求項７または請求項８に記載の画面表示装置。
【請求項１０】
前記表示制御手段は、前記個別コンテンツが前記出力要求されていることを前記操作部に表示させたとき、前記操作部にこの個別コンテンツについての操作の制限を課すことを特徴とする請求項７または請求項８に記載の画面表示装置。
【請求項１１】
前記表示手段は、前記画面表示装置に前記個別コンテンツの出力要求をできる操作部を有すると共に、優先順位が割り当てられ、前記表示制御手段は、いずれかの前記表示手段からの前記出力要求に応じて前記個別コンテンツを出力している際に、他の前記表示手段から前記個別コンテンツの出力要求があった場合に、この個別コンテンツを前記他の表示手段に出力すると共に、相対的な前記優先順位が２番目以降の表示手段に操作の制限を課すことを特徴とする請求項１ないし請求項３のいずれかに記載の画面表示装置。
【請求項１２】
前記表示手段に割り当てられた優先順位は、前記操作部からの操作によって変更できることを特徴とする請求項１１に記載の画面表示装置。
【発明の詳細な説明】
【技術分野】
【０００１】
本発明は、画像表示装置に関し、特に複数の表示装置に画像を表示させることが可能な画面表示装置に関するものである。
【背景技術】
【０００２】
従来、車両に搭載され、地図等のナビゲーション情報その他の情報を所定の表示装置に表示させる画面表示装置が知られている。近年、車両の前席と後席との２箇所に設けられた表示装置に表示を行う画面表示装置についての技術が開示された（例えば特許文献１参照）。この装置を搭載した車両の利用者は、前席からだけではなく、後席からも画面表示装置を操作できるようになっている。
【０００３】
特許文献１に開示された装置は、図９に示す構成を有し、情報源１０から取得した表示情報を２つの表示装置１２、１４に表示するようになっている。その際、ＣＰＵ（Ｃｅｎｔｒａｌ  Ｐｒｏｃｅｓｓｉｎｇ  Ｕｎｉｔ）２２は、情報源１０から入力された情報を、レイヤ構造を有する画像情報に変換し、２つのＶＲＡＭ（Ｖｉｄｅｏ  Ｒａｎｄｏｍ  Ａｃｃｅｓｓ  Ｍｅｍｏｒｙ）２４、２６に出力するようになっている。
【０００４】
通常、表示装置１２、１４に出力する画像信号は、１走査線毎に各レイヤからラインバッファに入力されると共に、ラインバッファ上で合成される。ラインバッファに格納されたデータは、ＲＧＢ信号やＮＴＳＣ信号などの映像信号方式に従った信号に変換されて表示装置に送信され、表示装置上に表示されるようになっている。
【特許文献１】特開平１０−２８８５２８号公報
【発明の開示】
【発明が解決しようとする課題】
【０００５】
しかしながら、このような従来の画面表示装置は、ＶＲＡＭ、ラインバッファ等の手段を２系統にすることによって画像を合成等し２つの表示装置に表示させる信号を生成するものであるため、２系統になることによって装置規模が拡大してしまうという問題があった。
【０００６】
本発明は、複数の表示装置に画像を表示させる場合において、複数系統の表示制御手段を設けることなく複数の表示装置に画像を表示することができる画面表示装置を提供するものである。
【課題を解決するための手段】
【０００７】
本発明の画面表示装置は、表示手段を接続可能な複数の表示出力手段と、前記表示手段が行う表示に用いる表示情報を入力可能な表示入力手段と、前記複数の表示手段のそれぞれに表示する前記表示情報を含む個別コンテンツを生成し、各前記個別コンテンツの出力を制御する表示制御手段と、前記表示制御手段から出力される各前記個別コンテンツを記憶するひとつのビデオメモリとを備え、前記表示制御手段は、前記ビデオメモリに記憶された各前記個別コンテンツを、前記複数の表示出力手段経由で各前記表示手段に出力する構成を有している。
【０００８】
この構成により、表示制御手段が表示出力手段とビデオメモリとを用いて複数の表示装置に画像を表示させるため、複数系統の表示制御手段を設けることなく複数の表示装置に画像を表示することが可能な画面表示装置を実現することができる。
【０００９】
また、本発明の画面表示装置は、前記表示制御手段が、前記個別コンテンツを表示する表示手段の数に応じて、前記表示手段に表示する個別コンテンツの解像度を決定し、前記決定された解像度で前記個別コンテンツを前記表示出力手段を介して前記表示手段に出力し、前記個別コンテンツを表示する表示手段の数が一つの場合、前記表示制御手段は前記個別コンテンツの解像度を維持する構成を有している。
【００１０】
この構成により、個別コンテンツを表示する表示手段の数に応じて個別コンテンツの解像度を決定するため、メモリ等の資源を有効に活用することが可能な画面表示装置を実現することができる。
【００１１】
また、本発明の画面表示装置は、表示手段を接続可能な複数の表示出力手段と、前記表示手段が行う表示に用いる表示情報を入力可能な表示入力手段と、前記表示情報を含む表示データに基づいて各前記表示手段が行う表示に用いる、前記表示手段毎の個別コンテンツを生成し、各前記個別コンテンツの出力を制御する表示制御手段と、前記表示制御手段から出力される各前記個別コンテンツを記憶するビデオメモリとを備え、前記表示制御手段は、前記ビデオメモリに記憶された各前記個別コンテンツを各前記表示出力手段経由で対応する各前記表示出力手段に出力する構成を有している。
【００１２】
この構成により、表示制御手段がビデオメモリを用いて複数の表示装置に画像を表示させるため、複数系統の表示制御手段を設けることなく複数の表示装置に画像を表示することが可能な画面表示装置を実現することができる。
【００１３】
また、本発明の画面表示装置は、前記表示データが、複数の描画レイヤからなるレイヤ構造を有し、前記個別コンテンツは、いずれか１以上の前記描画レイヤに割り当てられたデータを組み合わせて生成される構成を有している。
【００１４】
この構成により、描画レイヤを組み合わせることによって、要求に応じて個別コンテンツを簡易に生成することが可能な画面表示装置を実現することができる。
【００１５】
また、本発明の画面表示装置は、前記表示制御手段が、前記ビデオメモリに記憶された各前記個別コンテンツの前記表示手段への出力を、前記表示手段が接続された各前記表示出力手段の順番にクロック単位で行う構成を有している。
【００１６】
この構成により、表示制御手段が、ビデオメモリに記憶された各個別コンテンツの表示装置への出力を、表示装置が接続された各表示出力手段の順番に予め決められた同期信号に従ってクロック単位で行うため、各表示装置で同時に表示されているように見える画像を各表示装置に出力することが可能な画面表示装置を実現することができる。
【００１７】
また、本発明の画面表示装置は、前記表示手段の数は２つであり、前記表示制御手段は、前記クロックの立ち上がりタイミングで第１の表示手段に、前記クロックの立ち下がりタイミングで第２の表示手段に、各前記個別コンテンツを出力する構成を有している。
【００１８】
この構成により、クロックの立ち上がりと立ち下りでそれぞれの同期信号に合わせて画像データを出力可能とすることもできる。
【００１９】
また、本発明の画面表示装置は、操作部を有した複数の表示手段が前記表示出力手段に接続され、前記表示制御手段は、いずれかの前記操作部からの操作に応じて前記個別コンテンツを出力している場合に、他の前記操作部から前記個別コンテンツの出力要求があったとき、同一の前記個別コンテンツを前記表示手段の一方に出力すると共に、この個別コンテンツが前記出力要求されていることを前記表示手段の他方に表示させる構成を有している。
【００２０】
この構成により、既に出力されているコンテンツが要求された場合に、そのことを表示するため、画面表示装置のユーザに要求に係るコンテンツが既に出力されていることを知らせることが可能な画面表示装置を実現することができる。
【００２１】
また、本発明の画面表示装置は、操作部を有した複数の表示手段が前記表示出力手段に接続され、前記表示制御手段は、いずれかの前記操作部を介して前記個別コンテンツの操作がなされている間に、他の前記操作部から前記個別コンテンツの操作があったとき、この個別コンテンツが操作中であることを前記他の操作部を有する表示手段に表示させる構成を有している。
【００２２】
この構成により、いずれかの操作部からの操作が重なった場合のみに個別コンテンツが操作中であることが表示されるため、操作中であることの表示を限定して出力することが可能な画面表示装置を実現することができる。
【００２３】
また、本発明の画面表示装置は、前記操作部にさせる表示が、ポインタを表示することによって行う構成を有している。
【００２４】
この構成により、ポインタを表示して操作対象を示すため、操作性を向上することが可能な画面表示装置を実現することができる。
【００２５】
また、本発明の画面表示装置は、前記表示制御手段が、前記個別コンテンツが前記出力要求されていることを前記操作部に表示させたとき、前記操作部にこの個別コンテンツについての操作の制限を課す構成を有している。
【００２６】
この構成により、他の表示装置によって既に利用されているコンテンツを要求した場合に後から要求した表示装置に操作の制限を課すため、前にコンテンツを要求した利用者に継続的にコンテンツを利用させることが可能な画面表示装置を実現することができる。
【００２７】
また、本発明の画面表示装置は、前記表示手段は、前記画面表示装置に前記個別コンテンツの出力要求をできる操作部を有すると共に、優先順位が割り当てられ、前記表示制御手段は、いずれかの前記表示手段からの前記出力要求に応じて前記個別コンテンツを出力している際に、他の前記表示手段から前記個別コンテンツの出力要求があった場合に、この個別コンテンツを前記他の表示手段に出力すると共に、相対的な前記優先順位が２番目以降の表示手段に操作の制限を課す構成を有している。
【００２８】
この構成により、表示装置に優先順位を割り当てたため、優先度に応じた操作の差別化を図ることが可能な画面表示装置を実現することができる。
【００２９】
また、本発明の画面表示装置は、前記表示手段に割り当てられた優先順位は、前記操作部からの操作によって変更できる構成を有している。
【００３０】
この構成により、表示装置の操作部から優先順位を変更できることになるため、ユーザの要望に応じて装置の操作性を向上することが可能な画面表示装置を実現することができる。
【発明の効果】
【００３１】
本発明は、表示制御手段が表示出力手段とビデオメモリとを用いて複数の表示装置に画像を表示させるため、複数系統の表示制御手段を設けることなく複数の表示装置に画像を表示することができるので、装置規模の拡大を防止することができるという効果を有する画面表示装置を提供することができるものである。
【発明を実施するための最良の形態】
【００３２】
以下、本発明の実施の形態について、図面を用いて説明する。
【００３３】
（第１の実施の形態）
本発明の第１の実施の形態に係る画面表示装置１００は、図１に示すように、表示装置を接続可能な表示出力部１４０、１４１、表示装置に表示させる表示情報を入力可能な表示入力部１１０、各表示装置に表示する表示情報を含む個別コンテンツを生成し、各個別コンテンツの出力を制御する表示制御部１２０、および、表示制御部１２０から出力される各個別コンテンツを記憶するひとつのビデオメモリ（以下、「ＶＲＡＭ（Ｖｉｄｅｏ  Ｒａｎｄｏｍ  Ａｃｃｅｓｓ  Ｍｅｍｏｒｙ）」という。）１３０を備え、表示制御部１２０は、ＶＲＡＭ１３０に記憶された各個別コンテンツを、表示出力部１４０、１４１経由で各表示装置に出力するようになっている。本発明の第１の実施の形態は、１対の表示制御部１２０とＶＲＡＭ１３０とを用いて複数の表示装置に表示を行わせるものである。
【００３４】
図１において、表示入力部１１０を介して入力された、地図データ、操作パネル画面データ、画像データ、テキストデータ等のデータ（図１には、「画像等」として示す）が表示制御部１２０に入力される。
【００３５】
表示制御部１２０は、個別コンテンツを生成するためのデータ（以下、「描画データ」という。）を予め生成してＶＲＡＭ１３０に記憶させておくのでもよい。この描画データは、表示入力部１１０を介して入力されたデータに基づいて生成され、例えばメモリ空間においてブロック状に形成されたデータ構造を有するものでもよい。描画データは、具体的にはレイヤ構造を有するのでもよい。以下では、特に断る場合を除き、描画データはレイヤ構造を有するものとする。表示制御部１２０は、表示装置毎に特定のレイヤの画像データを組み合わせて個別コンテンツを生成するものでもよい。また、表示制御部１２０は、生成した各個別コンテンツのうち、１度の走査に必要とされるデータ（以下、「画像表示データ」という。）を表示出力部１４０に出力するようになっている。
【００３６】
画面表示装置１００は、具体的には図２に示すように構成されるのでもよい。図２には、表示入力部１１０が入出力インタフェース（図２に「Ｉ／Ｏ」として示す。）１１１およびＤＶＤ（Ｄｉｇｉｔａｌ  Ｖｅｒｓａｔｉｌｅ  Ｄｉｓｋ）デッキ１１２によって構成される例が示されている。図２に示す表示入力部１１０は、ＤＶＤデッキ１１２を介して入力されたコンテンツが、入出力インタフェース１１１を介して表示制御部１２０に入力されるようになっている。例えば、カーナビゲーション装置に用いる場合は、ＤＶＤデッキ１１２に挿入されるＤＶＤから地図データやメニューデータが読み込まれる。なお、入出力インタフェース１１１には、ハードディスクドライブやビデオカメラ等を接続することも可能で、これらのコンテンツが表示制御部１２０に出力されるのでもよい。
【００３７】
図２に示す装置構成では、表示制御部１２０は、画像処理を行う描画プロセッサ１２１、制御処理を行うＣＰＵ（Ｃｅｎｔｒａｌ  Ｐｒｏｃｅｓｓｉｎｇ  Ｕｎｉｔ）１２２、予め決められたプログラムを記憶するプログラムＲＯＭ（Ｒｅａｄ  Ｏｎｌｙ  Ｍｅｍｏｒｙ）１２３、ＤＲＡＭ（Ｄｙｎａｍｉｃ  Ｒａｎｄｏｍ  Ａｃｃｅｓｓ  Ｍｅｍｏｒｙ）１２４、バックアップ用に設けられたバックアップＲＡＭ１２５、およびフォントを記憶するフォントＲＯＭ１２６によって構成されている。
【００３８】
描画プロセッサ１２１は、例えばＬＳＩ（Ｌａｒｇｅ  Ｓｃａｌｅ  Ｉｎｔｅｇｒａｔｉｏｎ）によって構成され、プログラムＲＯＭ１２３、ＤＲＡＭ１２４、フォントＲＯＭ１２６等に記憶された制御内容が記載されたプログラムおよびデータがＣＰＵ１２２を介して入力され、入力されたプログラムおよびデータに応じて画像処理を行うのでもよい。描画プロセッサ１２１は、生成した個別コンテンツに基づいて画像表示データを生成し、予め決められたタイミングで画像表示データを順次表示出力部１４０に出力するようになっている。また、表示出力部１４０、１４１は、図２に示すように、１つのラインバッファによって形成されるのでもよく、このラインバッファは、描画プロセッサ１２１と一体に、又は描画プロセッサ１２１内に形成されるのでもよい。以下では、表示出力部１４０、１４１とラインバッファの関連性を明確にするため、ラインバッファの符号を１４０として説明する。
【００３９】
図３は、画面表示装置１００の動作を説明するための説明図である。図３において、描画プロセッサ１２１によって生成された描画データはレイヤ構造を有し、各レイヤ（図３では、Ｌ１〜Ｌ８）の情報はメモリ空間におけるブロックをなすように記憶される。また、描画プロセッサ１２１は、ＶＲＡＭ１３０に記憶された描画データのうち、レイヤ番号Ｌ１、Ｌ４、Ｌ５、Ｌ７、Ｌ８のレイヤのデータを用いて第１の表示装置に出力するコンテンツ（以下、「個別コンテンツ」という。）を生成し、レイヤ番号Ｌ２、Ｌ３、Ｌ６、Ｌ８のレイヤのデータを用いて第２の表示装置に出力するコンテンツを生成する。描画プロセッサ１２１は、生成した各個別コンテンツから必要な画像表示データを予め決められたタイミングでラインバッファ１４０に出力するようになっている。
【００４０】
ここで、描画プロセッサ１２１は、個別コンテンツを表示する表示装置の数に応じて表示装置に表示する個別コンテンツの解像度を決定し、決定された解像度で個別コンテンツをラインバッファ１４０に記憶させるのでもよい。具体的には、表示装置が２つの場合、解像度を１／２に落とし、３つの場合は１／３に落とすのでもよい。
【００４１】
解像度を１／２に落とした場合のレイヤの使い方について図４を用いて説明する。解像度を１／２に落とした場合は、各レイヤをそれぞれ１／２に分割し、分割したレイヤを第１の表示装置と第２の表示装置とに表示する。具体的には、例えば図４に示すように、Ｌ１を分割してＬ１ａ、Ｌ１ｂとし、Ｌ３を分割した一方をＬ３ｂとし、Ｌ６を分割した一方をＬ６ａとし、Ｌ７を分割した一方をＬ７ｂとし、Ｌ１ａとＬ６ａとを合成した画像を第１の表示装置に、Ｌ１ｂとＬ３ｂとＬ７ｂとを合成した画像を第２の表示装置に表示する。
【００４２】
ここで、表示装置が１つの場合、解像度を落とさず、元の個別コンテンツの解像度を維持するのでもよい。
【００４３】
図５〜７は、車両に画面表示装置１００が搭載され、車両の前席と後席に設けられた表示装置に画像を表示する例を示す図である。図５は、レイヤ１のナビメニュー、レイヤ２の左地図、およびレイヤ３の右地図が前席の表示装置に表示され、レイヤ１のナビメニュー、レイヤ４の左地図、レイヤ５の右地図、およびレイヤ９のオンスクリーンが後席の表示装置に表示される例を示す図である。ここで、オンスクリーンは、所定のメッセージ等の画像を画面上に表示するための画像データである。
【００４４】
図６は、前席および後席の表示装置に、レイヤ１のナビメニュー、レイヤ２の左地図、およびレイヤ３の右地図が前席の表示装置に表示され、さらに後席の表示装置には、レイヤ９のオンスクリーンが後席の表示装置に表示される例を示す図である。図６は、共通する画像データ（レイヤ１、２、３の画像データ）を２つの個別コンテンツに利用する例を示すものである。
【００４５】
また、図７は、レイヤ４の多機能インタフェースが前席の表示装置に表示され、レイヤ５の多機能インタフェースが後席の表示装置に表示される例を示す図である。ここでは、前席に「オーディオ」の機能の多機能インタフェースが表示され、後席に「天気予報表示」の機能の多機能インタフェースが表示された例が示されている。なお、多機能インタフェースの機能は、これらの限られるものではなく、この他の所定の映像を表示する等のその他の機能を有するものでもよい。
【００４６】
なお、上記の画像表示データは、予め決められたクロックを基準とし、ラインバッファ１４０から各表示装置に出力される。その際、ラインバッファ１４０から各表示装置への出力は、例えば１クロック毎に交互に行われるのでもよい。具体的には、表示装置が３台の場合、１クロック毎に第１の表示装置、第２の表示装置、第３の表示装置、第１の表示装置、・・・、へと画像表示データを出力するのでもよい。
【００４７】
また、１つのクロックの立ち上がりと立ち下り毎に各表示装置に画像表示データを送るのでもよい。具体的には、表示装置が２台の場合、第１番目のクロックの立ち上がりに第１の表示装置へ、第１番目のクロックの立下りで第２の表示装置へ、第２番目のクロックの立ち上がりで第１の表示装置へ、第２番目のクロックの立ち下りで第２の表示装置へ、・・・、と画像表示データを出力するものでもよい。
【００４８】
上記では、表示出力部１４０が１つの場合について説明したが、表示出力部１４０が複数であっても上記と同様の機能を維持することができる。具体的には、個別コンテンツを表示する表示装置の個数以上に表示出力部１４０を設け、各表示装置に１対１対応で各表示出力部１４０を接続し、各表示出力部１４０を介して対応する各表示装置に個別コンテンツを出力するのでもよい。
【００４９】
以上説明したように、本発明の第１の実施の形態に係る画面表示装置は、表示制御部が１系等の表示出力手段とビデオメモリとを用いて複数の表示装置に画像を表示させるため、複数系統の画像合成等の手段を設けることによる装置規模の拡大を防止することができる。なお、表示制御部が１系等のビデオメモリを用いて複数の表示出力部に接続された表示装置に画像を表示させるのでも同様の効果が得られる。
【００５０】
また、個別コンテンツを表示する表示手段の数に応じて個別コンテンツの解像度を決定するため、メモリ等の資源を有効に活用することができる。
【００５１】
また、描画データがレイヤ構造を有することとしたため、描画レイヤを組み合わせることによって、要求に応じて個別コンテンツを簡易に生成することができる。
【００５２】
また、表示制御部が、ビデオメモリに記憶された各個別コンテンツの表示装置への出力を、表示装置が接続された各表示出力部の順番にクロック単位で行うため、各表示装置で異なる画像が同時に表示されているように見える画像を各表示装置に出力することができる。
【００５３】
また、クロックの立ち上がりと立下りで画像データを出力することにより、２つの表示装置に対してクロックの立ち上がりとクロックの立ち下がりでそれぞれの画像データを出力して、異なる２つの画像を表示することが可能となる。
【００５４】
（第２の実施の形態）
本発明の第２の実施の形態は、画面表示装置のユーザの操作や車両の走行状態等に応じて、所定の画像を画面上に表示し、所定の機能に関する操作に制限を課すものである。ここで、画面表示装置は、接続される表示装置を介してなされるのでもよい。また、画面表示装置１００が車両に搭載される場合は、車両が走行状態か否かに応じて表示や操作に所定の制限を課すことをも含むものである。なお、本発明の第２の実施の形態に係る画面表示装置は、本発明の第１の実施の形態に係る画面表示装置１００と同様の構成を有するものであるため、その説明を省略する。
【００５５】
まず、ユーザの操作に応じて行う表示について説明する。この表示は、前席、後席等のいずれかの席の表示装置（以下、「第１の表示装置」とする。）で既に表示している画面（以下、「第１の画面」という。）を他のいずれかの席の表示装置（以下、「第２の表示装置」とする。）で表示しようとする場合、第１の表示装置で既に第１の画面を表示していることを示す表示を第２の表示装置に表示するものである。
【００５６】
この機能を図８を用いて説明する。図８（ａ）、（ｂ）は、車両の前席と後席のそれぞれに表示装置が設けられ、それぞれの表示装置で画面を表示しているときに操作が行われた場合について説明するための図である。画面表示装置１００は、表示装置に操作部を表示させ、表示された操作部から画面表示装置１００を操作するための入力を行うことができるようにするのでもよく、図８では、この操作部が表示されている。まず、図８（ａ）に示すように、前席では「ナビゲーション」用の画面が表示され、後席では「多機能インタフェース」が表示がされているものとする。
【００５７】
この状態で、例えば前席で多機能インタフェースを表示させるためボタン（図８に、「Ｍ（Ｍｅｎｕ）ボタン」として示す。）を押下したとすると、画面表示装置１００は、前席の表示装置に多機能インタフェースを表示すると共に後席の表示装置で操作していることをメッセージで表示するものである。なお、他の表示装置（この例では、後席の表示装置。）に表示していることは、上記の「メッセージ」には限られず、予め決められた「マーク」、「アイコン」その他の画像を表示するのでもよい。また、「表示装置に表示されていること」は、表示装置に表示されている個別コンテンツを画面表示装置１００がこの表示装置に出力していることを示すものである。
【００５８】
したがって、前席の表示装置の操作部を介して多機能インタフェースの個別コンテンツの出力要求があったとき、画面表示装置１００は、多機能インタフェースの個別コンテンツを前席の表示装置に出力すると共に、多機能インタフェースの個別コンテンツが後席の表示装置によって操作されていることを表示するものである。表示装置の操作部の操作は、ボタンやキー等を押下するのでも、画面に設けられたボタンをカーソルやアイコン等のポインタで選択するようにして行うのでも良い。また、ポインタ等の操作は、リモコン等を用いて行うのでも良い。
【００５９】
なお、表示装置には、予め決められた優先順位が設けられ、優先順位の高い表示装置を介して入力された操作は、優先的に実行されるものとするのでもよい。優先順位が最も高い表示装置Ａ、優先順位が２番目に高い表示装置Ｂ、および優先順位が最も低い表示装置Ｃの３台の表示装置が画面表示装置１００に接続されている合を例にとり説明する。
【００６０】
まず、表示装置Ｂが個別コンテンツｂを表示し、表示装置Ａが個別コンテンツｂを表示しようとする場合、本発明の第２の実施の形態では、画面表示装置１００は、表示装置Ａに個別コンテンツｂが表示され、個別コンテンツｂの操作を自由にできるものとする。一方、表示装置Ｂが個別コンテンツｂを表示し、表示装置Ｃが個別コンテンツｂを表示しようとする場合、表示装置Ｃには、個別コンテンツｂが表示されるが、表示装置Ｂが操作している間は個別コンテンツｂの操作を自由にできず、予め決められた制限が課されているものである。また、特定の個別コンテンツについて上記の制限が適用されるのでもよい。具体的には、車両の前席の表示装置に「ナビゲーション」用の画面の操作についての優先順位を高くしておくのでもよい。さらに、表示装置につけられる優先順位や、個別コンテンツにつけられる優先順位は、変更できるようになっているのでもよい。
【００６１】
次に、表示装置に表示される画面の制限について説明する。上記で示したように既に第１の表示装置で表示されている画面を第２の表示装置で表示する場合、第１の表示装置に表示された操作部のボタン等の操作に制限を課するものである。具体的には、図８（ｂ）の場合、表示画面を「スクロール」等するのを制限することなどがあげられる。いうまでもなく制限は表示されている画面によって異なるのでもよい。
【００６２】
次に、車両の走行状態に応じて表示される画面の制限について説明する。ここで、車両が停止している場合、すべての表示画面が表示できるものとする。本発明の第２の実施の形態では、車両が走行状態にある場合、前席の表示装置に強制的に「ナビゲーション」用の画面を表示させる制限（図８（ａ）参照）、または、表示している画面の一部を表示させないようにする制限（図８（ｃ）参照）、その他の制限を課すものである。
【００６３】
以上説明したように、本発明の第２の実施の形態に係る装置は、既に出力されているコンテンツが要求された場合に、そのことを表示するため、画面表示装置のユーザに要求に係るコンテンツが既に操作されていることを知らせることができる。
【００６４】
また、いずれかの操作部からの操作が重なった場合のみに個別コンテンツが操作中であることが表示されるため、操作中であることの表示を限定して出力することができる。
【００６５】
また、ポインタを表示して操作対象を示すため、操作性を向上することができる。
【００６６】
また、他の表示装置によって既に利用されているコンテンツを要求した場合に後から要求した表示装置に操作の制限を課すため、前にコンテンツを要求した利用者に継続的にコンテンツを利用させることができる。
【００６７】
また、表示装置に優先順位を割り当てたため、優先度に応じた操作の差別化を図ることができる。
【００６８】
また、表示装置の操作部から優先順位を変更できることになるため、ユーザの要望に応じて装置の操作性を向上することができる。
【産業上の利用可能性】
【００６９】
本発明に係る画面表示装置は、複数系統の表示制御手段を設けることなく複数の表示装置に画像を表示することができるので、装置規模の拡大を防止することができるという効果を有し、複数の表示装置に画像を表示する装置などに有用である。
【図面の簡単な説明】
【００７０】
【図１】本発明の第１の実施の形態に係る画面表示装置のブロック構成を示す図
【図２】本発明の第１の実施の形態に係る画面表示装置の具体的構成を示す図
【図３】本発明の第１の実施の形態に係る画面表示装置の動作を説明するための説明図
【図４】本発明の第１の実施の形態に係る画面表示装置において解像度を１／２に落とした場合の動作を説明するための説明図
【図５】車両の前席と後席に設けられた表示装置に画像を表示する例を示す図
【図６】車両の前席と後席に設けられた表示装置に画像を表示する例を示す図
【図７】車両の前席と後席に設けられた表示装置に画像を表示する例を示す図
【図８】車両の前席と後席に設けられた表示装置に画像を表示する例を示す図
【図９】従来の画面表示装置のブロック構成を示す図
【符号の説明】
【００７１】
１００  画面表示装置
１１０  表示入力部
１１１  入出力インタフェース
１１２  ＤＶＤデッキ
１２０  表示制御部
１２１  描画プロセッサ
１２２  ＣＰＵ
１２３  プログラムＲＯＭ
１２４  ＤＲＡＭ
１２５  バックアップＲＡＭ
１２６  フォントＲＯＭ
１３０  ビデオメモリ
１４０  表示出力部、ラインバッファ
１４１  表示出力部
２１１  ＦＭ／ＡＭチューナ
２１２  ＴＶチューナ
２２１  ＧＰＳ受信機
２２２  ジャイロセンサ
２２３  センサー信号処理部
２３１  ＬＡＮ通信部
【図１】
2005043695.tif 000003
【図２】
2005043695.tif 000004
【図３】
2005043695.tif 000005
【図４】
2005043695.tif 000006
【図５】
2005043695.tif 000007
【図６】
2005043695.tif 000008
【図７】
2005043695.tif 000009
【図８】
2005043695.tif 000010
【図９】
2005043695.tif 000011